(57)【要約】【課題】所定の光量子束密度に対する発熱量が照明機器の種類によって異なるといった影響を受けることなく、植物にとって適正な湿度の栽培空間を提供する。【解決手段】空気調和装置（20）は、植物の栽培室（S）内の空調を行う。少なくとも２種類の照明機器（40,50）は、栽培室（S）に配置され、所定の光量子束密度に対する発熱量が互いに異なっている。決定部（61）は、栽培室（S）内の全熱負荷に対する栽培室（S）内の顕熱負荷の割合を示す負荷比率が、空気調和装置（20）の顕熱比と同程度となるように、少なくとも２種類の照明機器（40,50）の設置割合を決定する。【選択図】図１
2018007634.tif 000002
【特許請求の範囲】
【請求項１】
植物の栽培室（S）内の空調を行う空気調和装置（20）と、
上記栽培室（S）に配置され、所定の光量子束密度に対する発熱量が互いに異なる少なくとも２種類の照明機器（40,50）と、
上記栽培室（S）内の全熱負荷に対する上記栽培室（S）内の顕熱負荷の割合を示す負荷比率が、上記空気調和装置（20）の顕熱比と同程度となるように、少なくとも２種類の上記照明機器（40,50）の設置割合を決定する決定部（61）と
を備えることを特徴とする栽培支援システム。
【請求項２】
請求項１において、
少なくとも２種類の上記照明機器（40,50）には、蛍光灯（40）とＬＥＤ（50）とが含まれる
ことを特徴とする栽培支援システム。
【請求項３】
請求項１または請求項２において、
上記栽培室（S）内の全熱負荷は、該栽培室（S）に設置される上記照明機器（40,50）全ての発熱量の合計値、に基づき求められる機器熱負荷であって、
上記栽培室（S）内の顕熱負荷は、上記機器熱負荷と、上記栽培室（S）内の植物（16）の蒸散による潜熱負荷との差である
ことを特徴とする栽培支援システム。
【請求項４】
請求項１から請求項３のいずれか１項において、
上記設置割合に応じて上記照明機器（40,50）が設置されている上記栽培室（S）内にて上記植物（16）が栽培されている際、上記栽培室（S）内が目標温度となるように上記空気調和装置（20）の空調運転を制御する制御部（65）、
を更に備え、
上記制御部（65）は、目標湿度と上記栽培室（S）内の湿度との大小に応じて、上記照明機器（40,50）の光量を調節する
ことを特徴とする栽培支援システム。
【発明の詳細な説明】
【技術分野】
【０００１】
本発明は、栽培室内の植物の栽培を支援するためのシステムに関するものである。
【背景技術】
【０００２】
完全閉鎖型の植物工場では、太陽光の代わりに人工照明としての照明機器が植物に光を照射し、且つ空気調和装置が栽培室内の空調を行うことで、植物の栽培に適した環境が提供されている。
【０００３】
上記照明機器としては、特許文献１に示すように蛍光灯が利用されたり、特許文献２に示すようにＬＥＤが利用されたりする。
【先行技術文献】
【特許文献】
【０００４】
【特許文献１】特開平１１−００００６６号公報
【特許文献２】特開２０１６−０８１６８４号公報
【発明の概要】
【発明が解決しようとする課題】
【０００５】
蛍光灯が用いられる場合、蛍光灯が動作することに起因する顕熱負荷により、空気調和装置は空調能力を上昇させて冷房を行う。すると、栽培室内は、過度に除湿された状態となり、植物の適正湿度よりも低くなる傾向となる。
【０００６】
他方、ＬＥＤは、同程度の光量で比較した場合、蛍光灯よりも発熱量が小さいために、栽培室内の顕熱負荷は、蛍光灯利用時よりも小さくなる。そのため、蛍光灯利用時よりも、空気調和装置の冷房負荷は小さく、除湿量も少なくなる。すると、栽培室内の湿度は、植物の適正湿度よりも高くなる傾向となる。
【０００７】
本発明は、かかる点に鑑みてなされたものであり、その目的は、所定の光量子束密度に対する発熱量が照明機器の種類によって異なるといった影響を受けることなく、植物にとって適正な湿度の栽培空間を提供することである。
【課題を解決するための手段】
【０００８】
第１の発明は、植物の栽培室（S）内の空調を行う空気調和装置（20）と、上記栽培室（S）に配置され、所定の光量子束密度に対する発熱量が互いに異なる少なくとも２種類の照明機器（40,50）と、上記栽培室（S）内の全熱負荷に対する上記栽培室（S）内の顕熱負荷の割合を示す負荷比率が、上記空気調和装置（20）の顕熱比と同程度となるように、少なくとも２種類の上記照明機器（40,50）の設置割合を決定する決定部（61）とを備えることを特徴とする栽培支援システムである。
【０００９】
栽培室（S）内の全熱負荷は、主に照明機器（40,50）全ての発熱量の合計値に基づき決定される。栽培室（S）内の顕熱負荷は、栽培室（S）内の全熱負荷と栽培室（S）内の潜熱負荷との差で決定される。そこで、栽培支援システム（10）は、所定の光量子束密度に対する発熱量が互いに異なる少なくとも２種類の照明機器（40,50）をあえて同一の栽培室（S）内に設置するにあたり、栽培室（S）内の全熱負荷と顕熱負荷との負荷比率が空気調和装置（20）の顕熱比と同程度となるように、各照明機器（40,50）をどの程度の割合設置するかを決定する。これにより、各照明機器（40,50）をどの程度配置すべきかが、栽培室（S）の環境に応じて適切に決定される。従って、所定の光量子束密度に対する発熱量が照明機器（40,50）の種類によって異なるといった影響を受けることなく、栽培室（S）内の植物（16）にとって適正な湿度の栽培空間を提供することができる。
【００１０】
第２の発明は、第１の発明において、少なくとも２種類の上記照明機器（40,50）には、蛍光灯（40）とＬＥＤ（50）とが含まれる。
【００１１】
第３の発明は、第１の発明または第２の発明において、上記栽培室（S）内の全熱負荷は、該栽培室（S）に設置される上記照明機器（40,50）全ての発熱量の合計値、に基づき求められる機器熱負荷であって、上記栽培室（S）内の顕熱負荷は、上記機器熱負荷と、上記栽培室（S）内の植物（16）の蒸散による潜熱負荷との差である。
【００１２】
ここでは、どの照明機器（40,50）をどの程度配置すべきかが、栽培室（S）内の植物（16）の蒸散による潜熱負荷により決定される。従って、栽培室（S）内の植物（16）にとってより適正な湿度の栽培空間を提供することができる。
【００１３】
第４の発明は、第１の発明から第３の発明のいずれか１つにおいて、上記設置割合に応じて上記照明機器（40,50）が設置されている上記栽培室（S）内にて上記植物（16）が栽培されている際、上記栽培室（S）内が目標温度となるように上記空気調和装置（20）の空調運転を制御する制御部（65）、を更に備え、上記制御部（65）は、目標湿度と上記栽培室（S）内の湿度との大小に応じて、上記照明機器（40,50）の光量を調節する。
【００１４】
上記第１の発明によって決定された配置割合に応じて照明機器（40,50）が配置された栽培室（S）にて植物（16）が実際に栽培されている間、例えば明期及び暗期の違いや植物の生長過程による蒸散量の変化等に起因して、栽培室（S）内の湿度環境が変動する場合がある。ここでは、そのような栽培室（S）における潜熱負荷変動にあわせて、照明機器（40,50）の光量が調節される。照明機器（40,50）の光量が調節されると、照明機器（40,50）の発熱量も変化する。空気調和装置（20）の空調能力は、変化した照明機器（40,50）の発熱量に応じて変化する。その結果、栽培室（S）内は、植物（16）にとって適切な湿度に保たれる。
【発明の効果】
【００１５】
本発明によれば、所定の光量子束密度に対する発熱量が照明機器（40,50）の種類によって異なるといった影響を受けることなく、栽培室（S）内は、植物（16）にとって適正な湿度となる。
【図面の簡単な説明】
【００１６】
【図１】図１は、植物工場の栽培室内部を表すと共に、本実施形態に係る栽培支援システムの構成を示す図である。
【図２】図２は、照明機器が設置された栽培室で植物が栽培されている間に、空調制御部が行う制御の流れを示す図である。
【発明を実施するための形態】
【００１７】
以下、本発明の実施形態を図面に基づいて詳細に説明する。なお、以下の実施形態は、本質的に好ましい例示であって、本発明、その適用物、あるいはその用途の範囲を制限することを意図するものではない。
【００１８】
≪実施形態≫
＜栽培支援システムの概要＞
本実施形態に係る栽培支援システム（10）は、野菜や果物等の植物（16）を栽培する植物工場等に構築される。栽培支援システム（10）は、植物工場の栽培室（S）内の植物（16）の生長を支援するためのシステムである。
【００１９】
栽培室（S）内には、栽培棚（12）が設置され、栽培棚（12）には、栽培ベッド（14）が複数載置されている。栽培ベッド（14）は、植物（16）を育成するためのものであって、図示していないが、植物（16）が植え付けられる栽培パネルと、栽培パネルの下方に位置し植物（16）を育成するための養液を貯留した養液槽とで構成される。図１に示すように、栽培ベッド（14）には、栽培対象である植物（16）が複数植えられている。
【００２０】
＜構成＞
図１に示すように、栽培支援システム（10）は、空気調和装置（20）と、複数の照明機器（40,50）と、統括コントローラ（60）とを備える。
【００２１】
−空気調和装置−
空気調和装置（20）は、栽培室（S）内の空調を行うためのものであって、室外機（21）と室内機（25）とを有する。
【００２２】
室外機（21）は、屋外等である栽培室（S）の外に設置されており、図示していないが、圧縮機、室外熱交換器、室外ファン等を有する。室内機（25）は、栽培室（S）内に設置されており、室内熱交換器（26）及び室内ファン（27）等を有する。
【００２３】
室外機（21）と室内機（25）とは、冷媒配管を介して接続されており、これにより冷媒回路が形成されている。空調運転時、冷媒回路内を冷媒が循環することにより、室内機（25）から栽培室（S）内には調和された空気が送られる。具体的に、空気調和装置（20）は、栽培室（S）内の温度が設定された目標温度となるように、冷房運転時は冷却された空気を栽培室（S）内に供給し、暖房運転時は加熱された空気を栽培室（S）内に供給する。
【００２４】
−照明機器−
照明機器（40,50）は、栽培室（S）に配置され、栽培室（S）内の人工照明として利用される。照明機器（40,50）は、栽培棚（12）における各段の上面付近において、下方を照射可能に設置されている。照明機器（40,50）は、栽培棚（12）の各段に載置された植物（16）に光を照射する。
【００２５】
本実施形態に係る照明機器（40,50）には、所定の光量子束密度に対する発熱量が互いに異なる少なくとも２種類の照明機器が採用される。光量子束密度とは、単位時間に単位面積を通過する光量子の数であって、光強度の指標として使用される。つまり、照明機器（40,50）として採用される少なくとも２種類の照明機器は、単位時間且つ単位面積あたりの光量子が同程度であれば、互いに発熱量が異なるものであると言える。このような照明機器（40,50）の組合せには、蛍光灯（40）及びＬＥＤ（50）が挙げられる。
【００２６】
同じ光量の蛍光灯（40）とＬＥＤ（50）とを比較した場合、発熱量は、ＬＥＤ（50）よりも蛍光灯（40）の方が大きい。
【００２７】
−統括コントローラ−
統括コントローラ（60）は、メモリ及びＣＰＵで構成されるマイクロコンピュータであって、空気調和装置（20）及び各照明機器（40,50）と電気的に接続されている。メモリ内に格納されているプログラムをＣＰＵが読み出して実行することで、統括コントローラ（60）は、空気調和装置（20）及び各照明機器（40,50）の運転動作を制御する。
【００２８】
特に、統括コントローラ（60）は、決定部（61）及び空調制御部（65）として機能する。
【００２９】
＜設置割合の決定動作＞
決定部（61）は、植物（16）の栽培前且つ照明機器（40,50）の設置作業が開始される前に、照明機器（40,50）である蛍光灯（40）及びＬＥＤ（50）の設置割合を、予測される栽培室（S）内の環境（温度及び湿度）に応じて決定する動作を行う。即ち、本実施形態では、所定の光量子束密度に対する発熱量が互いに異なる蛍光灯（40）及びＬＥＤ（50）をあえて同じ栽培室（S）内に配置するが、蛍光灯（40）とＬＥＤ（50）との設置数は、任意なのではなく、栽培室（S）内の環境に応じた適切な割合に決定されるのである。
【００３０】
ここで、決定部（61）が、蛍光灯（40）及びＬＥＤ（50）の設置割合の決定動作を何故行うかについて説明する。
【００３１】
仮に、栽培室（S）内に蛍光灯（40）のみが設置された場合を考える。蛍光灯（40）は、所定の光量子束密度に対する発熱量がＬＥＤ（50）よりも大きい。そのため、植物（16）の明期において栽培室（S）内の温度が目標温度となるように冷房を行う際、空気調和装置（20）の冷房能力はＬＥＤ（50）のみが設置される場合よりも上昇せざるを得ず、よって空気調和装置（20）の除湿量も増加する。すると、栽培室（S）内の湿度が植物（16）の適正な湿度を下回る可能性が生じる。
【００３２】
これに対し、蛍光灯（40）のみが設置された場合、空気調和装置（20）における冷媒の蒸発温度を上げたり、室内器（25）が栽培室（S）に供給する風量を上げたりして、除湿能力の上昇を抑える制御を行うことが考えられる。しかし、この制御だと、空気調和装置（20）が栽培室（S）の顕熱に対する能力（即ち栽培室（S）内の温度を下げる能力）さえもが低下するため、例えば室内機（25）の台数の増加及び室内熱交換器（26）のサイズの増大等の、コストが増加する対策を講じる必要がある。
【００３３】
逆に、栽培室（S）内にＬＥＤ（50）のみが設置された場合を考える。ＬＥＤ（50）は、所定の光量子束密度に対する発熱量が蛍光灯（40）よりも小さい。そのため、植物（16）の明期において栽培室（S）内の温度が目標温度となるように冷房を行う際、空気調和装置（20）の冷房能力は蛍光灯（40）のみが設置される場合よりも減少せざるを得ず、よって空気調和装置（20）の除湿量も減少する。すると、栽培室（S）内の湿度が植物（16）の適正な湿度を上回る可能性が生じる。
【００３４】
これに対し、ＬＥＤ（50）のみが設置された場合、例えば冷媒の蒸発温度を下げる等により空気調和装置（20）の除湿能力を高める対策を講じる必要がある。しかし、一般的に、空気調和装置（20）が有する顕熱比は、栽培室（S）における顕熱と、栽培室（S）における顕熱及び潜熱の合計である全熱との比“顕熱／全熱”よりも大きい。何故ならば、栽培室（S）では、植物（16）が蒸散するため、顕熱よりも潜熱の方が大きいからである。このような条件下でたとえ除湿能力を高める策を講じたとしても、空気調和装置（20）が冷房運転を行うことにより栽培室（S）の温度が目標温度に達した場合、未だ栽培室（S）内の除湿は不十分のまま空気調和装置（20）は冷房運転を停止し、それ以上栽培室（S）内の除湿は進まなくなる。即ち、単に除湿能力を高める対策では不十分と言える。そのため、強制的に栽培室（S）内の除湿を行うためには、除湿後の空気を再熱してから栽培室（S）に供給する機構を別途追加する必要が代替策として考えられるものの、この代替策では、初期コスト及びランニングコストがかえって増加してしまう。
【００３５】
そこで、本実施形態に係る決定部（61）は、栽培室（S）内の温度が植物（16）にとって適正な温度となると共に、栽培室（S）内の湿度も植物（S）にとって適切な湿度となるようにするべく、各照明機器（40,50）の所定の光量子束密度に対する発熱量を考慮して、蛍光灯（40）及びＬＥＤ（50）それぞれの設置台数を決定する。具体的には、決定部（61）は、空気調和装置（20）が仮に冷房運転を行ったと過程した際に、栽培室（S）内の全熱負荷に対する栽培室（S）内の顕熱負荷の割合を示す負荷比率が、空気調和装置（20）の顕熱比と同程度となるように、少なくとも２種類の照明機器（40,50）の設置割合を決定する。
【００３６】
栽培室（S）内の全熱負荷は、厳密には、栽培室（S）内に設置される照明機器（40,50）全ての発熱量の合計値に基づき求められる機器熱負荷（照明機器（40,50）の合計熱負荷）と、その他の熱負荷との合計に等しい。しかし、その他の熱負荷は、機器熱負荷に比べると非常に小さいため、栽培室（S）内の全熱負荷は、上記機器熱負荷によって支配的に定められる。
【００３７】
栽培室（S）内の顕熱負荷は、栽培室（S）内の全熱負荷と、栽培室（S）内の植物（16）の蒸散による潜熱負荷との差である。既に述べたように、栽培室（S）内の全熱負荷が機器熱負荷によって支配的に定められることから、栽培室（S）内の顕熱負荷は、概ね、機器熱負荷と植物（16）の蒸散による潜熱負荷との差で求められる。
【００３８】
なお、植物（16）の蒸散による潜熱負荷は、空気調和装置（20）及び照明機器（40,50）が定格で動作するとし、且つ、栽培対象となる植物（16）の種類及び栽培量（栽培規模）を想定した上で、机上計算により算出されるか、または、実際の植物（16）の蒸散量を実験より求められることが好ましい。また、機器熱負荷は、照明機器（40,50）が定格で動作する場合を想定した値に決定されることが好ましい。
【００３９】
空気調和装置（20）が有する顕熱比とは、空気調和装置（20）が冷房運転した際の、全冷房能力（顕熱冷房能力と潜熱冷房能力との合計値）に対する顕熱冷房能力の割合であって、予め決定された値である。
【００４０】
以上をまとめると、決定部（61）は、次式が成立するようにして、照明機器（40,50）の設置割合を決定する。
【００４１】
【数１】
2018007634.tif 000003
【００４２】
なお、照明機器（40,50）の合計熱負荷である機器熱負荷は、空気調和装置（20）の最大冷房能力よりも十分に小さいことは、云うまでもない。
【００４３】
そして、設置割合とは、上記式を成立させるに際し、栽培室（S）内に設置する照明機器（40,50）の種類と数等である。一例としては、栽培室（S）内において、同じ光量の蛍光灯（40）とＬＥＤ（50）とを設置するとした際、蛍光灯（40）及びＬＥＤ（50）それぞれの設置本数が決定される。
【００４４】
＜照明機器設置後の環境制御＞
空調制御部（65）は、上記設置割合に従って蛍光灯（40）及びＬＥＤ（50）が設置された栽培室（S）において、実際に植物（16）の栽培が行われている間、栽培室（S）内の温度及び湿度制御を行う。
【００４５】
特に、植物（16）の栽培中は、例えば明期及び暗期の違いや植物（16）の生長過程による蒸散量の変化等に起因して、栽培室（S）内の湿度環境が変動する場合がある。そこで、空調制御部（65）は、栽培室（S）内の潜熱負荷変動のみまたは潜熱負荷変動及び顕熱負荷変動にあわせて、空気調和装置（20）及び各照明機器（40,50）の少なくとも１つの動作を調節する。この制御の動作フローを、図２に示す。以下、図２に従って、空調制御部（65）の動作を詳述する。
【００４６】
先ず、空調制御部（65）は、上記設置割合に従って蛍光灯（40）及びＬＥＤ（50）が設置された栽培室（S）において、植物（16）の栽培が行われている間に、栽培室（S）内の温度が目標温度となるように、例えば室外機（21）の圧縮機の回転速度を制御する等の、空調運転（冷房運転）の制御を行う（ステップＳ１）。
【００４７】
図示しないリモートコントローラを介して、潜熱負荷変動に応じた制御対象機器を“照明機器”と設定されている場合（ステップＳ２のＹｅｓ）、空調制御部（65）は、栽培室（S）内の湿度を目標湿度と比較して、栽培室（S）内において潜熱負荷変動が生じているか否かを判断する（ステップＳ３）。栽培室（S）内の湿度が目標湿度と異なることにより、栽培室（S）内にて潜熱負荷変動が生じていると判断できる。なお、栽培室（S）内の湿度は、湿度センサ等により検知される。
【００４８】
栽培室（S）内の湿度が目標湿度よりも低い場合（ステップＳ３のＹｅｓ）、空調制御部（65）は、栽培室（S）内にて光を植物（16）に照射している照明機器（40,50）の光量（照明能力）を下げる制御を行う（ステップＳ４）。照明機器（40,50）の光量が下がることにより、照明機器（40,50）の発熱量は減少するため、これに伴って空気調和装置（20）の冷房能力は小さくなり、除湿能力も弱まる。これにより、栽培室（S）内の温度は目標温度に近づくだけではなく、湿度も目標湿度に近づく。
【００４９】
ステップＳ３において、栽培室（S）内の湿度が目標湿度よりも高い場合（ステップＳ３のＮｏ）、空調制御部（65）は、栽培室（S）内にて光を植物（16）に照射している照明機器（40,50）の光量（照明能力）を上げる制御を行う（ステップＳ５）。照明機器（40,50）の光量が上がることにより、照明機器（40,50）の発熱量は増加するため、これに伴って空気調和装置（20）の冷房能力は大きくなり、除湿能力も強まる。これにより、栽培室（S）内の温度は目標温度に近づくだけではなく、湿度も目標湿度に近づく。
【００５０】
図２では図示していないが、栽培室（S）内の湿度が目標湿度と同程度である場合、空調制御部（65）は、照明機器（40,50）が現在照射している光の光量を、変化させることなく維持させる。栽培室（S）内の湿度が目標湿度と同程度であることから、潜熱負荷変動が生じていないためである。
【００５１】
即ち、上記ステップＳ３〜Ｓ５では、栽培室（S）内の湿度と目標湿度との大小に応じて、空気調和装置（20）の空調運転（冷房運転）の制御を積極的に行うことはせずに、照明機器（40,50）の光量（照明能力）を積極的に変更させていると言える。
【００５２】
一方、ステップＳ２において、潜熱負荷変動に応じた制御対象機器を“空気調和装置”と設定されている場合（ステップＳ２のＮｏ）、空調制御部（65）は、顕熱負荷変動及び潜熱負荷変動にあわせて、照明機器（40,50）の光量（照明能力）は維持させたまま空気調和装置（20）の空調運転（冷房運転）の制御を積極的に行う（ステップＳ６〜Ｓ８）。
【００５３】
具体的に、空調制御部（65）は、栽培室（S）内の湿度を目標湿度と比較する（ステップＳ６）。栽培室（S）内の湿度が目標湿度よりも低い場合（ステップＳ６のＹｅｓ）、空調制御部（65）は、運転中の空気調和装置（20）の冷媒の蒸発温度を上げるか、及び／または、室内機（25）が栽培室（S）に供給する風量を上げる制御を行う（ステップＳ７）。栽培室（S）内で光を植物（16）に照射している照明機器（40,50）の光量を維持した状態にて冷媒の蒸発温度を上げることにより、栽培室（S）内の発熱量は維持された状態にて室内機（25）の冷房能力が弱められ、これに伴い除湿能力も弱められる。また、照明機器（40,50）の光量を維持した状態にて、室内ファン（27）の回転速度を上げて風量を上げることによっても、栽培室（S）内の発熱量は維持された状態にて室内機（25）の冷房能力及び除湿能力は弱められる。室内機（25）から吹き出される空気の風量が増加すると、室内熱交換器（26）を通る風速が上がり、その結果空気が室内熱交換器（26）と接している時間が短くなることで空気の温度が下がらなくなるため、露点との差が小さくなり除湿能力が低下する。このようなステップＳ７により、栽培室（S）内の温度は目標温度に近づき、湿度も目標湿度に近づく。
【００５４】
ステップＳ６において、栽培室（S）内の湿度が目標湿度よりも高い場合（ステップＳ６のＮｏ）、空調制御部（65）は、運転中の空気調和装置（20）の冷媒の蒸発温度を下げるか、及び／または、室内機（25）が栽培室（S）に供給する風量を下げる制御を行う（ステップＳ８）。栽培室（S）内にて光を植物（16）に照射している照明機器（40,50）の光量を維持した状態にて冷媒の蒸発温度を下げることにより、栽培室（S）内の発熱量は維持された状態にて室内機（25）の冷房能力が高められ、これに伴い除湿能力も高められる。また、照明機器（40,50）の光量を維持した状態にて、室内ファン（27）の回転数を下げて風量を下げることによっても、栽培室（S）内の発熱量は維持された状態にて室内機（25）の冷房能力及び除湿能力は強められる。室内機（25）から吹き出される空気の風量が減少すると、室内熱交換器（26）を通る風速が下がり、その結果空気が室内熱交換器（26）と接している時間が長くなることで空気の温度が下がるため、露点との差が大きくなり除湿能力が上昇する。このようなステップＳ８により、栽培室（S）内の温度は目標温度に近づき、湿度も目標湿度に近づく。
【００５５】
図２では図示していないが、ステップＳ６において栽培室（S）内の湿度が目標湿度と同程度である場合、空調制御部（65）は、冷媒の蒸発温度及び風量を変化させることなく維持させる。
【００５６】
ステップＳ２からステップＳ８の動作は、空調運転（冷房運転）が終了するまで繰り返される（ステップＳ９のＮｏ）。空調運転（冷房運転）が終了する場合（ステップＳ９のＹｅｓ）、図２に係る一連の制御動作は終了する。
【００５７】
＜本実施形態の効果＞
本実施形態では、所定の光量子束密度に対する発熱量が互いに異なる少なくとも２種類の照明機器（40,50）をあえて同一の栽培室（S）内に設置するにあたり、栽培室（S）内の全熱負荷と顕熱負荷との負荷比率が空気調和装置（20）の顕熱比と同程度となるように、各照明機器（40,50）をどの程度の割合設置するかを決定する。これにより、各照明機器（40,50）をどの程度配置すべきかが、栽培室（S）の環境に応じて適切に決定される。従って、所定の光量子束密度に対する発熱量が照明機器（40,50）の種類によって異なるといった影響を受けることなく、栽培室（S）内の植物（16）にとって適正な湿度の栽培空間を提供することができる。
【００５８】
特に、栽培支援システム（10）によれば、再熱除湿機が不要のため、コストがかからずに済む。
【００５９】
なお、本実施形態に係る照明機器（40,50）には、蛍光灯（40）とＬＥＤ（50）とが含まれる。
【００６０】
また、本実施形態において、栽培室（S）内の全熱負荷は、該栽培室（S）に設置される上記照明機器（40,50）全ての発熱量の合計値、に基づき求められる機器熱負荷である。栽培室（S）内の顕熱負荷は、当該機器熱負荷と、栽培室（S）内の植物（16）の蒸散による潜熱負荷との差である。つまり、本実施形態では、どの照明機器（40,50）をどの程度配置すべきかが、栽培室（S）内の植物（16）の蒸散による潜熱負荷により決定される。従って、栽培室（S）内の植物（16）にとってより適正な湿度の栽培空間を提供することができる。
【００６１】
上述のようにして決定された配置割合に応じて照明機器（40,50）が栽培室（S）に設置されたとする。この栽培室（S）にて植物（16）が実際に栽培されている間、例えば明期及び暗期の違いや植物の生長過程による蒸散量の変化等に起因して、栽培室（S）内の湿度環境が変動する場合がある。本実施形態では、そのような栽培室（S）における潜熱負荷変動にあわせて、照明機器（40,50）の光量が調節される。照明機器（40,50）の光量が調節されると、照明機器（40,50）の発熱量も変化する。空気調和装置（20）の空調能力は、変化した照明機器（40,50）の発熱量に変化に応じて変化する。その結果、栽培室（S）内は、植物（16）にとって適切な湿度に保たれる。
【００６２】
＜その他の実施形態＞
照明機器（40,50）の種類には、蛍光灯及びＬＥＤ以外が含まれても良い。また、照明機器（40,50）の組合せは、所定の光量子束密度に対する発熱量が互いに異なる照明機器の組合せであれば良いため、蛍光灯及びＬＥＤの組合せに限定されない。
【００６３】
照明機器（40,50）の設置位置や、蛍光灯（40）及びＬＥＤ（50）の配置の仕方は、図１に限定されない。
【００６４】
栽培室（S）内の全熱負荷及び顕熱負荷は、該栽培室（S）に設置される上記照明機器（40,50）全ての発熱量に基づく機器熱負荷や、当該機器熱負荷と栽培室（S）内の植物（16）の蒸散による潜熱負荷との差による算出方法に限定されない。
【００６５】
決定された設置割合に応じて照明機器（40,50）が設置された栽培室（S）内での図２の動作は、必須ではない。図２とは別の動作が行われても良い。
【産業上の利用可能性】
【００６６】
以上説明したように、本発明は、栽培室（S）内は、植物（16）にとって適正な湿度となる栽培支援システムについて有用である。
【符号の説明】
【００６７】
10  栽培支援システム
20  空気調和装置
40  蛍光灯（照明機器）
50  ＬＥＤ（照明機器）
61  決定部
65  空調制御部（制御部）
【図１】
2018007634.tif 000004
【図２】
2018007634.tif 000005